(57)【要約】【課題】  本発明は、複数回の操作を必要とするとじ針の装着をマガジンを一往復スライドさせることによって可能とした機能を有するステープラを提供する。【解決手段】  とじ針１４の装着は、マガジン１を手動でとじ針打ち出し口（Ｂ）６側にスライドさ、マガジン固定金具凹部１１とマガジン固定金具凸部（Ａ）１２をかみ合わせ、マガジン１を固定する。この時、とじ針押出し金具１５はとじ針押出し金具用ストッパー（Ａ）８とじ針押出し金具用ストッパー（Ｂ）７で動きを規制され、とじ針押出しバネ２に張力が加わった状態で、とじ針１４を装着するスペースが確保される。とじ針１４を装着後、とじ針打ち出し口（Ａ）５側の端部を手にて押圧することによって、各々の凹凸のかみ合わせが解除されマガジン１がマガジン収容金具９に挿入され、マガジン固定金具凸部（Ｂ）１３とマガジン固定金具凹部１１がかみ合わされてマガジン１が収容固定される。【選択図】  図１
2007075985.tif 000002
【特許請求の範囲】
【請求項１】
マガジン収容金具に収納されたマガジンをマガジン収容金具のとじ針打ち出し口（Ｂ）側にスライドさせることにより、とじ針押出し金具のとじ針押出し金具用ストッパー（Ａ）がマガジン収容金具のとじ針押出し金具用ストッパー（Ｂ）によってその移動を規制され、マガジンに固定されたマガジン固定金具のマガジン固定金具凹部とマガジン収容金具のマガジン固定金具凸部（Ａ）がかみ合わされ、マガジンがマガジン収容金具にとじ針押しバネに張力が加わった状態でとじ針を簡易に装着出来る位置で固定されるようにしたステーフラ。
【請求項２】
とじ針を装着したマガジンのとじ針打ち出し口（Ａ）側の端部を手により押圧することにより、マガジンに固定されたマガジン固定金具のマガジン固定金具凹部とマガジン収容金具のマガジン固定金具凸部（Ａ）とのかみ合わせが解除され、マガジンがマガジン収容金具に挿入され、マガジン収容金具のマガジン固定金具凸部（Ｂ）とマガジンに固定されたマガジン固定金具のマガジン固定金具凹部がかみ合されて、マガジン収容金具にマガジンが固定されることを特徴とする請求項１に記載のステープラ
【発明の詳細な説明】
【技術分野】
【０００１】  本発明は、とじ針を入れるマガジンをマガジン収容金具に挿入し、マガジンを可動させることによって簡易にとじ針の装着が出来るようにしたステープラに関するものである。
【背景技術】
【０００２】  従来、ステープラのマガジンはハンドル及びクリンチャーアームと各々の後端部において回転自由に支持され、とじ針をマガジンに装着する場合はハンドルを回転させマガジンのとじ針押出し金具を引き出し、とじ針をマガジンに装着してとじ針押出し金具を再度戻しとじ針押しバネの張力によってとじ針を押出す操作が必要であり、マガジンを手動でスライドさせる操作のみでとじ針をマガジン内に装着できる機能を有するステープラはなかった。
【発明の開示】
【発明が解決しようとする課題】
【０００３】  従来、ステープラにとじ針を装着する場合一連の操作として、ハンドルの回転、マガジンのとじ針押出し金具の引き出し、とじ針のマガジンへの装着、とじ針押し出し金具をマガジンへ再度挿入、ハンドルを回転させて元に戻す操作が必要であり、煩雑な手順を必要とする難点があった。本発明はこの課題を解消するためになされたものである。
【課題を解決するための手段】
【０００４】  マガジン収容金具９に挿入されたマガジン１に、とじ針１４を装着する場合、マガジン収容金具９に挿入されているマガジン１を手動でマガジン収容金具９のとじ針打ち出し口（Ｂ）６側にスライドさせるとマガジン１に固定されているマガジン固定金具１０のマガジン固定金具凹部１１とマガジン収容金具９のマガジン固定金具凸部（Ａ）１２がかみ合わされて、マガジン１がマガジン収容金具９に固定される。この時、マガジン１内に装着されているとじ針押出し金具１５はとじ針押出し金具１５のとじ針押出し金具用ストッパー（Ａ）８とマガジン収容金具９に固定されているとじ針押出し金具用ストッパー（Ｂ）７によってその動きを規制され、バネ固定金具（Ａ）３とバネ固定金具（Ｂ）４間のとじ針押出しバネ２に張力が加わった状態で、とじ針１４を装着するスペースがマガジン１内に確保される。とじ針１４を装着後、マガジン１のとじ針打ち出し口（Ａ）５側の端部を手にて押圧することによってマガジン固定金具１０のマガジン固定金具凹部１１とマガジン固定金具部凸（Ａ）１２のかみ合わせが解除されマガジン１がマガジン収容金具９に挿入され、マガジン収容金具９のマガジン固定金具凸部（Ｂ）１３とマガジン固定金具１０のマガジン固定金具凹部１１がかみ合わされてマガジン１がマガジン収容金具９に固定される。本発明は、以上の構成よりなりとじ針１４を簡易にマガジン１に装着することができるステープラである。
【発明の効果】
【０００５】  このようにすれば、マガジンを一回スライドさせる動作で、とじ針をマガジンに装着することが可能となり、とじ針の装着操作が簡易となり便利である。
【発明を実施するための最良の形態】
【０００６】以下、本発明の実施の形態について説明する。
（イ）ハンドル１８とクリンチャーアーム１９及びマガジン１を挿入したマガジン収容金具９が各々の後端部において、回転軸用固定穴２２を通して回転軸２１により回転自由に支持される。マガジン１はマガジン収容金具９のマガジン用押え金具１７によりその移動方向を規制される。
（ロ）マガジン１をマガジン収容金具９に挿入して、とじ針１４を装着する場合、マガジン収容金具９に挿入されているマガジン１を手動でマガジン収容金具９のとじ針打ち出し口（Ｂ）６側にスライドさせるとマガジン１に固定されているマガジン固定金具１０のマガジン固定金具凹部１１とマガジン収容金具９のマガジン固定金具凸部（Ａ）１２がかみ合わされて、マガジン１がマガジン収容金具９に固定される。この時、マガジン１内に装着されているとじ針押出し金具１５はとじ針押出し金具１５のとじ針押出し金具用ストッパー（Ａ）８とマガジン収容金具９に固定されているとじ針押出し金具用ストッパー（Ｂ）７によってその動きを規制され、バネ固定金具（Ａ）３とバネ固定金具（Ｂ）４間のとじ針押出しバネ２に張力が加わった状態で、とじ針１４を装着するスペースがマガジン１内に確保される。
（ハ）マガジン１にとじ針１４を装着後、マガジン１のとじ針打ち出し口（Ａ）５側の端部を手にて押圧することによってマガジン固定金具１０のマガジン固定金具凹部１１とマガジン固定金具凸部（Ａ）１２のかみ合わせが解除されマガジン１がマガジン収容金具９に挿入され、マガジン１に固定されているマガジン固定金具１０のマガジン固定金具凹部１１とマガジン固定金具凸部（Ｂ）１３がかみ合わされてマガジン１がマガジン収容金具９に固定される。
（ニ）マガジン１内に挿入されているとじ針押出し金具１５及びとじ針１４はマガジン１のとじ針・とじ針押出し金具用押え金具１６によりその移動方向を規制される。
（ホ）ハンドル１８を押圧することによりハンドル１８のドライバ２０が下方に押出され、とじ針１４をクリンチャーアーム１９方向に圧迫し、とじ針１４がマガジン１のとじ針打ち出し口（Ａ）５及びマガジン収容金具９のとじ針打ち出し口（Ｂ）６を通過して押出される。
本発明は以上の構成よりなる。
本発明を使用するときは、マガジン収容金具９に収容したマガジン１をマガジン収容金具９のとじ針打ち出し口（Ｂ）６側へ手動にて一回スライドさせて移動することにより、簡易にとじ針１４をマガジン１に装着することが出来、とじ針１４を装着したマガジン１はマガジン１のとじ針打ち出し口（Ａ）５側の端部を押圧することによりマガジン収容金具９に簡単に収容固定しやすくしている。
【図面の簡単な説明】
【０００７】
【図１】    本発明のマガジンを引出した状態の実装図。
【図２】    本発明のマガジンを収容した状態の実装図。
【図３】    マガジンにとじ針を挿入し、マガジン収容金具に装着した平面図。
【図４】    マガジンにとじ針を挿入し、マガジン収容金具に装着した側面図。
【図５】    とじ針を全て打出したマガジンが、マガジン収容金具に装着されている平面図。
【図６】    とじ針を全て打出したマガジンが、マガジン収容金具に装着されている側面図。
【図７】    マガジン収容金具からスライドさせたマガジンにとじ針を装着した平面図
【図８】    マガジン収容金具からスライドさせたマガジンにとじ針を装着した側面図
【符号の説明】
【０００８】  １  マガジン
２  とじ針押出しバネ
３  バネ固定金具（Ａ）
４  バネ固定金具（Ｂ）
５  とじ針打ち出し口（Ａ）
６  とじ針打ち出し口（Ｂ）
７  とじ針押出し金具用ストッパー（Ｂ）
８  とじ針押出し金具用ストッパー（Ａ）
９  マガジン収容金具
１０  マガジン固定金具
１１  マガジン固定金具凹部
１２  マガジン固定金具凸部（Ａ）
１３  マガジン固定金具凸部（Ｂ）
１４  とじ針
１５  とじ針押出し金具
１６  とじ針・とじ針押出し金具用押え金具
１７  マガジン用押え金具
１８  ハンドル
１９  クリンチャーアーム
２０  ドライバ
２１  回転軸
２２  回転軸用固定穴
【図１】
2007075985.tif 000003
【図２】
2007075985.tif 000004
【図３】
2007075985.tif 000005
【図４】
2007075985.tif 000006
【図５】
2007075985.tif 000007
【図６】
2007075985.tif 000008
【図７】
2007075985.tif 000009
【図８】
2007075985.tif 000010